(57)【要約】【課題】ヒータの数が増加した場合でも、各ヒータに給電を行うためのリード線の引き回しが容易なダンパ装置を提供すること。【解決手段】ダンパ装置１は、第１ヒータ８の第１ヒータ第１端子３５に接続された第１ヒータ側リード線１５と、第１ヒータ８の第１ヒータ第２端子３６と第２ヒータ９の第２ヒータ第１端子５５に接続されたヒータ直列接続用リード線１６と、第２ヒータ９の第２ヒータ第２端子５６に接続された第２ヒータ側リード線１７を備える。第１ヒータ側リード線１５とヒータ直列接続用リード線１６とは第１ヒータ８からＺ１方向に引き出されて、一方側第１リード線係止板２１の第１切欠き２３に係止されている。第２ヒータ側リード線１７とヒータ直列接続用リード線１６とは第１ヒータ８からＺ１方向に引き出されて、一方側第２リード線係止板４１の第２切欠き４３に係止されている。【選択図】図１
2019045131.tif 000002
【特許請求の範囲】
【請求項１】
第１開口部を備える第１枠板と、
第２開口部を備え、前記第１枠板と並列に配置された第２枠板と、
前記第１枠板および前記第２枠板の厚さ方向の一方を第１方向、他方を第２方向としたときに、
前記第１枠板の前記第１方向の側から前記第１開口部を開閉する第１バッフルと、
前記第２枠板の前記第１方向の側から前記第２開口部を開閉する第２バッフルと、
前記バッフルを駆動する駆動機構と、
前記第１枠板と前記第２枠板との間で前記駆動機構を収容するケースと、
前記第１枠板における前記第１方向の第１枠板表面に固定されて前記第１開口部を囲む第１ヒータと、
前記第２枠板における前記第１方向の第２枠板表面に固定されて前記第２開口部を囲む第２ヒータと、
前記第１ヒータの第１ヒータ第１端子に接続された第１リード線と、
前記第１ヒータの第１ヒータ第２端子に接続された第２リード線と、
前記第２ヒータの第２ヒータ第１端子に接続された第３リード線と、
前記第２ヒータの第２ヒータ第２端子に接続された第４リード線と、
前記第１リード線および前記第２リード線が係止される第１切欠きを備える第１リード線係止板と、
前記第３リード線および前記第４リード線が係止される第２切欠きを備える第２リード線係止板と、を有し、
前記第１リード線係止板は、前記第１枠板の外周縁における前記第１開口部よりも前記ケースの側の外周縁部分から前記第１方向に立ち上がっており、
前記第２リード線係止板は、前記第２枠板の外周縁における前記第２開口部よりも前記ケースの側の外周縁部分から前記第１方向に立ち上がっていることを特徴とするダンパ装置。
【請求項２】
前記第１ヒータ第１端子および前記第１ヒータ第２端子は、前記第１開口部に対して前記ケースの側に設けられて前記第１枠板表面から起立しており、
前記第２ヒータ第１端子および前記第２ヒータ第２端子は、前記第２開口部に対して前記ケースの側に設けられて前記第２枠板表面から起立していることを特徴とする請求項１に記載のダンパ装置。
【請求項３】
前記第１切欠きは、前記第１ヒータ第１端子の先端および前記第１ヒータ第２端子の先端よりも前記第１枠板から前記第１方向に離間する位置に設けられており、
前記第２切欠きは、前記第２ヒータ第１端子の先端および前記第２ヒータ第２端子の先端よりも前記第２枠板から前記第１方向に離間する位置に設けられていることを特徴とする請求項２に記載のダンパ装置。
【請求項４】
前記ケースは、前記第１枠板の側の端に位置する第１板部と、前記第２枠板の側の端に位置する第２板部と、前記第１板部と前記第２板部との間に位置して前記駆動機構を収容する収容部を備えるケース本体と、を備え、
前記第１枠板および前記第２枠板の配列方向と前記厚み方向とは直交しており、
前記第１リード線係止板は、前記配列方向と交差して前記厚み方向と直交する交差方向で前記第１板部の一方側に位置して当該第１板部に連続しており、
前記第２リード線係止板は、前記交差方向で前記第２板部の一方側に位置して前記第２板部に連続しており、
前記第１切欠きは、前記第１リード線係止板における前記第１方向の端縁から前記第２方向に向かって当該第１リード線係止板と前記第１板部との境界を前記ケース本体に沿っ
て延びており、
前記第２切欠きは、前記第２リード線係止板における前記第１方向の端縁から前記第２方向に向かって当該第２リード線係止板と前記第２板部との境界を前記ケース本体に沿って延びていることを特徴とする請求項１から３のうちのいずれか一項に記載のダンパ装置。
【請求項５】
前記第１リード線係止板と前記第２リード線係止板とは、前記配列方向で対向し、
前記交差方向における前記ケースの一方側には、前記ケース本体と前記第１リード線係止板と前記第２リード線係止板とにより凹部が区画され、
前記第１リード線において前記第１切欠きに保持されている部分から前記第１ヒータ第１端子とは反対側に延在している第１リード線部分、前記第２リード線において前記第１切欠きに保持されている部分から前記第１ヒータ第２端子とは反対側に延在している第２リード線部分、前記第３リード線において前記第２切欠きに保持されている部分から前記第２ヒータ第１端子とは反対側に延在している第３リード線部分、および、前記第４リード線において前記第２切欠きに保持されている部分から前記第２ヒータ第２端子とは反対側に延在している第４リード線部分は、前記凹部の内側を引き回されていることを特徴とする請求項４に記載のダンパ装置。
【請求項６】
前記第２リード線および前記第３リード線は、前記第１ヒータ第２端子と前記第２ヒータ第１端子とを接続する一本のヒータ直列接続用リード線であり、
前記ヒータ直列接続用リード線における第１ヒータ第２端子の側の部分は、前記第１切欠きに係止され、前記ヒータ直列接続用リード線における第２ヒータ第１端子の側の部分は、前記第２切欠きに係止されていることを特徴とする請求項５に記載のダンパ装置。
【請求項７】
前記ヒータ直列接続用リード線は、前記凹部の内側で２つに折り曲げられた折り曲げ部分を備え、
前記折り曲げ部分は、結束部材により、束ねられていることを特徴とする請求項６に記載のダンパ装置。
【請求項８】
前記駆動機構は、駆動源としてモータを備え、
前記ケースの外部から前記モータに電力を供給するためのモータ給電用リード線は、前記ケース本体に貼り付けられた貼付部材と当該ケース本体との間に保持されて前記凹部の内側を引き回されていることを特徴とする請求項５から７のうちのいずれか一項に記載のダンパ装置。
【請求項９】
前記第１枠板、前記第１リード線係止板、および、前記第１板部を備える第１フレーム部材と、
前記第２枠板、前記第２リード線係止板、および、前記第２板部を備える第２フレーム部材と、
前記ケース本体を備えるケース部材と、を有し、
前記第１フレーム部材と前記第２フレーム部材とは、前記ケース部材を間に挟んで連結されていることを特徴とする請求項４から８のうちのいずれか一項に記載のダンパ装置。
【請求項１０】
前記第１フレーム部材は、前記第１枠板の外周縁部分から前記第１方向に立ち上がり前記第１リード線係止板および前記第１板部とともに当該第１枠板を囲む第１補強部を備え、
前記第２フレーム部材は、前記第２枠板の外周縁部分から前記第１方向に立ち上がり前記第２リード線係止板および前記第２板部とともに当該第２枠板を囲む第２補強部を備えることを特徴とする請求項９に記載のダンパ装置。
【発明の詳細な説明】
【技術分野】
【０００１】
本発明は、冷蔵庫の冷気通路等に用いられるダンパ装置に関するものである。
【背景技術】
【０００２】
冷蔵庫の冷気通路等に用いられるダンパ装置は、冷気通路内に配置される枠板と、枠板の開口部を開閉するバッフルと、バッフルを駆動する駆動機構を備える。特許文献１に記載のダンパ装置は、枠板の表面に開口部を囲むヒータを備えており、開口部の周囲で結露した水が凍って枠板とバッフルとが氷結により吸着することを防止している。
【先行技術文献】
【特許文献】
【０００３】
【特許文献１】特開２０１５−２０３５０５号公報
【発明の概要】
【発明が解決しようとする課題】
【０００４】
冷蔵庫の複数の部位に冷気を分配して送るためには、１台のダンパ装置に、複数の枠板と、各枠板の開口部を開閉する複数のバッフルを設ける必要がある。また、この場合には、複数の枠板のそれぞれに、開口部を囲むヒータを備えることが望ましい。ここで、枠板毎にヒータを備える場合には、ヒータの数が増えるので、各ヒータに給電を行うためのリード線の引き回しが容易ではなくなる。
【０００５】
以上の問題点に鑑みて、本発明の課題は、ヒータの数が増加した場合でも、各ヒータに給電を行うためのリード線の引き回しが容易なダンパ装置を提供することにある。
【課題を解決するための手段】
【０００６】
上記課題を解決するために、本発明に係るダンパ装置は、第１開口部を備える第１枠板と、第２開口部を備え、前記第１枠板と並列に配置された第２枠板と、前記第１枠板および前記第２枠板の厚さ方向の一方を第１方向、他方を第２方向としたときに、前記第１枠板の前記第１方向の側から前記第１開口部を開閉する第１バッフルと、前記第２枠板の前記第１方向の側から前記第２開口部を開閉する第２バッフルと、前記バッフルを駆動する駆動機構と、前記第１枠板と前記第２枠板との間で前記駆動機構を収容するケースと、前記第１枠板における前記第１方向の第１枠板表面に固定されて前記第１開口部を囲む第１ヒータと、前記第２枠板における前記第１方向の第２枠板表面に固定されて前記第２開口部を囲む第２ヒータと、前記第１ヒータの第１ヒータ第１端子に接続された第１リード線と、前記第１ヒータの第１ヒータ第２端子に接続された第２リード線と、前記第２ヒータの第２ヒータ第１端子に接続された第３リード線と、前記第２ヒータの第２ヒータ第２端子に接続された第４リード線と、前記第１リード線および前記第２リード線が係止される第１切欠きを備える第１リード線係止板と、前記第３リード線および前記第４リード線が係止される第２切欠きを備える第２リード線係止板と、を有し、前記第１リード線係止板は、前記第１枠板の外周縁における前記第１開口部よりも前記ケースの側の外周縁部分から前記第１方向に立ち上がっており、前記第２リード線係止板は、前記第２枠板の外周縁における前記第２開口部よりも前記ケースの側の外周縁部分から前記第１方向に立ち上がっていることを特徴とする。
【０００７】
本発明では、１台のダンパ装置において、第１開口部を含む流路、および第２開口部を含む流路に対する冷気の分配等を行うことができる。また、第１枠板の第１枠板表面に第１ヒータが設けられ、第２枠板の第２枠板表面に第２ヒータが設けられているので、第１
バッフルと第１枠板との氷結、および第２バッフルと第２枠板との氷結の双方を抑制することができる。また、本発明では、第１枠板の外周縁におけるケース側の外周縁部分から第１リード線係止板が立ち上がっており、第１ヒータの第１ヒータ第１端子に接続された第１リード線と、第１ヒータ第２端子に接続された第２リード線とは、第１リード線係止板に設けられた第１切欠きに係止される。同様に、第２枠板の外周縁におけるケース側の外周縁部分から第２リード線係止板が立ち上がっており、第２ヒータの第２ヒータ第１端子に接続された第３リード線と、第２ヒータ第２端子に接続された第４リード線とは、第２リード線係止板に設けられた第２切欠きに係止される。従って、第１リード線および第２リード線を第１枠板の側から、第１バッフルと干渉しないケースの側に向かって引き回すことが容易である。また、第３リード線および第４リード線を第２枠板の側から、第２バッフルと干渉しないケースの側に向かって引き回すことが容易である。
【０００８】
本発明において、前記第１ヒータ第１端子および前記第１ヒータ第２端子は、前記第１開口部に対して前記ケースの側に設けられて前記第１枠板表面から起立しており、前記第２ヒータ第１端子および前記第２ヒータ第２端子は、前記第２開口部に対して前記ケースの側に設けられて前記第２枠板表面から起立していることが望ましい。このようにすれば、第１ヒータ第１端子および第１ヒータ第２端子から第１切欠きまでの距離が短くなるので、第１リード線および第２リード線と第１バッフルとの干渉を回避しながらこれらのリード線を引き回すことが容易である。また、第２ヒータ第１端子および第２ヒータ第２端子から第２切欠きまでの距離が短くなるので、第３リード線および第４リード線と第２バッフルとの干渉を回避しながらこれらのリード線を引き回すことが容易である。
【０００９】
本発明において、前記第１切欠きは、前記第１ヒータ第１端子の先端および前記第１ヒータ第２端子の先端よりも前記第１枠板から前記第１方向に離間する位置に設けられており、前記第２切欠きは、前記第２ヒータ第１端子の先端および前記第２ヒータ第２端子の先端よりも前記第２枠板から前記第１方向に離間する位置に設けられていることが望ましい。このようにすれば、第１ヒータ第１端子および第１ヒータ第２端子にそれぞれ接続した第１リード線および第２リード線を、第１ヒータ第１端子および第１ヒータ第２端子が起立している方向に沿って引き出して、第１切欠きに係止させることができる。従って、第１リード線および第２リード線の引き回しに際して、第１リード線と第１ヒータ第１端子との接続部分および第２リード線と第１ヒータ第２端子との接続部分が屈曲するなどして損傷することを防止できる。また、第２ヒータ第１端子および第２ヒータ第２端子にそれぞれ接続した第３リード線および第４リード線を、第２ヒータ第１端子および第２ヒータ第２端子が起立している方向に沿って引き出して、第２切欠きに係止させることができる。従って、第３リード線および第４リード線の引き回しに際して、第３リード線と第２ヒータ第１端子との接続部分および第４リード線と第２ヒータ第２端子との接続部分が屈曲するなどして損傷することを防止できる。
【００１０】
本発明において、前記ケースは、前記第１枠板の側の端に位置する第１板部と、前記第２枠板の側の端に位置する第２板部と、前記第１板部と前記第２板部との間に位置して前記駆動機構を収容する収容部を備えるケース本体と、を備え、前記第１枠板および前記第２枠板の配列方向と前記厚み方向とは直交しており、前記第１リード線係止板は、前記配列方向と交差して前記厚み方向と直交する交差方向で前記第１板部の一方側に位置して当該第１板部に連続しており、前記第２リード線係止板は、前記交差方向で前記第２板部の一方側に位置して前記第２板部に連続しており、前記第１切欠きは、前記第１リード線係止板における前記第１方向の端縁から前記第２方向に向かって当該第１リード線係止板と前記第１板部との境界を前記ケース本体に沿って延びており、前記第２切欠きは、前記第２リード線係止板における前記第１方向の端縁から前記第２方向に向かって当該第２リード線係止板と前記第２板部との境界を前記ケース本体に沿って延びているものとすることができる。このようにすれば、第１リード線および第２リード線を第１切欠きに係止する
ことにより、これらのリード線をケース本体の外周面に沿って引き出すことができる。また、第３リード線および第４リード線を第２切欠きに係止することにより、これらのリード線をケース本体の外周面に沿って引き出すことができる。
【００１１】
本発明において、前記第１リード線係止板と前記第２リード線係止板とは、前記配列方向で対向し、前記交差方向における前記ケースの一方側には、前記ケース本体と前記第１リード線係止板と前記第２リード線係止板とにより凹部が区画され、前記第１リード線において前記第１切欠きに保持されている部分から前記第１ヒータ第１端子とは反対側に延在している第１リード線部分、前記第２リード線において前記第１切欠きに保持されている部分から前記第１ヒータ第２端子とは反対側に延在している第２リード線部分、前記第３リード線において前記第２切欠きに保持されている部分から前記第２ヒータ第１端子とは反対側に延在している第３リード線部分、および、前記第４リード線において前記第２切欠きに保持されている部分から前記第２ヒータ第２端子とは反対側に延在している第４リード線部分は、前記凹部の内側を引き回されているものとすることができる。このようにすれば、第１リード線部分、第２リード線部分、第３リード線部分、および、第４リード線部分をケース本体の一方側（凹部内）に位置させることができるので、これらのリード線部分が第１枠板の側に移動して第１バッフルと干渉することや、第２枠板の側に移動して第２バッフルと干渉することを防止できる。
【００１２】
本発明において、前記第２リード線および前記第３リード線は、前記第１ヒータ第２端子と前記第２ヒータ第１端子とを接続する一本のヒータ直列接続用リード線であり、前記ヒータ直列接続用リード線における第１ヒータ第２端子の側の部分は、前記第１切欠きに係止され、前記ヒータ直列接続用リード線における第２ヒータ第１端子の側の部分は、前記第２切欠きに係止されているものとすることができる。このようにすれば、第１ヒータおよび第２ヒータへ給電を行うためのリード線の本数を減らすことができるので、これらのリード線の引き回しが容易となる。また、第１ヒータおよび第２ヒータが直列に接続されるので、第１ヒータおよび第２ヒータを同期して駆動することができる。
【００１３】
本発明において、前記ヒータ直列接続用リード線は、前記凹部の内側で２つに折り曲げられた折り曲げ部分を備え、前記折り曲げ部分は、結束部材により、束ねられていることが望ましい。このようにすれば、ヒータ直列接続用リード線を折り曲げていないときに、ヒータ直列接続用リード線の長さを確保できるので、ヒータ直列接続用リード線の一方の端を第１ヒータ第２端子に接続し、他方の端を第２ヒータ第１端子に接続することが容易である。また、折り曲げ部分を設けて束ねることにより、第１切欠きと第２切欠きとの間におけるヒータ直列接続用リード線の弛みを無くすことができるので、ヒータ直列接続用リード線が第１バッフルや第２バッフルと干渉することがない。
【００１４】
本発明において、前記駆動機構は、駆動源としてモータを備え、前記ケースの外部から前記モータに電力を供給するためのモータ給電用リード線は、前記ケース本体に貼り付けられた貼付部材と当該前記ケース本体との間に保持されて前記凹部の内側を引き回されているものとすることができる。このようにすれば、モータ給電用リード線についても、第１ヒータおよび第２ヒータに給電をするためのリード線と同様に、ケースの一方側（凹部内）を引き回すことができる。
【００１５】
本発明において、前記第１枠板、前記第１リード線係止板、および、前記第１板部を備える第１フレーム部材と、前記第２枠板、前記第２リード線係止板、および、前記第２板部を備える第２フレーム部材と、前記ケース本体を備えるケース部材と、を有し、前記第１フレーム部材と前記第２フレーム部材とは、前記ケース部材を間に挟んで連結されているものとすることができる。このようにすれば、第１枠板と第２枠板とをケースを間に挟んで並列に配置することが容易である。
【００１６】
本発明において、前記第１フレーム部材は、前記第１枠板の外周縁部分から前記第１方向に立ち上がり前記第１リード線係止板および前記第１板部とともに当該第１枠板を囲む第１補強部を備え、前記第２フレーム部材は、前記第２枠板の外周縁部分から前記第１方向に立ち上がり前記第２リード線係止板および前記第２板部とともに当該第２枠板を囲む第２補強部を備えることが望ましい。第１補強部および第２補強部を備えれば、第１枠板および第２枠板が歪むことを防止できる。
【発明の効果】
【００１７】
本発明によれば、１台のダンパ装置において、第１開口部を含む流路、および第２開口部を含む流路に対する冷気の分配等を行うことができる。また、第１枠板の第１枠板表面に第１ヒータが設けられ、第２枠板の第２枠板表面に第２ヒータが設けられているので、第１バッフルと第１枠板との氷結、および第２バッフルと第２枠板との氷結の双方を抑制することができる。さらに、第１ヒータの第１ヒータ第１端子に接続される第１リード線と、第１ヒータ第２端子に接続される第２リード線とが、ケースに近い位置に設けられた第１リード線係止板の第１切欠きに係止され、第２ヒータの第２ヒータ第１端子に接続される第３リード線と、第２ヒータ第２端子に接続される第４リード線とが、ケースに近い位置に設けられた第２リード線係止板の第２切欠きに係止される。従って、第１リード線および第２リード線を第１枠板の側からケースの側に向かって引き回すことが容易であり、第３リード線および第４リード線を第２枠板の側からケースの側に向かって引き回すことが容易である。
【図面の簡単な説明】
【００１８】
【図１】本発明の実施例１に係るダンパ装置を第１枠板と第２枠板の配列方向と直交する交差方向の一方側および第１端板の側から見た場合の斜視図である。
【図２】図１のダンパ装置を交差方向の一方側および第２端板の側から見た場合の斜視図である。
【図３】図１のダンパ装置を交差方向の他方側および第１端板の側から見た場合の斜視図である。
【図４】第１バッフルおよび第２バッフルを外したダンパ装置の分解斜視図である。
【図５】第１バッフル、第２バッフル、第１ヒータおよび第２ヒータを外したダンパ装置の分解斜視図である。
【図６】第１フレーム部材、第２フレーム部材、ケース部材を分解したダンパ装置の分解斜視図である。
【図７】ダンパ装置における第１ヒータ、第２ヒータおよびモータの配線の説明図である。
【図８】ダンパ装置の組み立て動作における第１ヒータ、第２ヒータの配線の引き回しの説明図である。
【図９】実施例２のダンパ装置の第１ヒータ、第２ヒータおよびモータの配線の説明図である。
【発明を実施するための形態】
【００１９】
以下、図面を参照して、本発明を適用した冷蔵庫用のダンパ装置について説明する。
（実施例１）
図１は、本発明の実施例１に係るダンパ装置を第１枠板と第２枠板の配列方向と直交する交差方向の一方側および第１端板の側から見た場合の斜視図である。図２は、図１のダンパ装置を交差方向の一方側および第２端板の側から見た場合の斜視図である。図３は、図１のダンパ装置を交差方向の他方側および第１端板の側から見た場合の斜視図である。
【００２０】
図１に示すように、本例のダンパ装置１は、第１開口部３を備える第１枠板４と、第２
開口部５を備える第２枠板６と、直方体形状のケース７とを備える。第１枠板４と第２枠板６とは並列に配置されている。ケース７は第１枠板４と第２枠板６との間に位置する。また、ダンパ装置１は、第１枠板４に固定された第１ヒータ８、第２枠板６に固定された第２ヒータ９、第１枠板４の一方側から第１開口部３を開閉する第１バッフル１０、および、第２枠板６の一方側から第２開口部５を開閉する第２バッフル１１を備える。ケース７には第１バッフル１０および第２バッフル１１を駆動する駆動機構１２が収容されている。駆動機構１２は、駆動源としてモータ１３を備える。さらに、ダンパ装置１は、第１ヒータ８および第２ヒータ９に給電をおこなうための３本のリード線１５〜１７と、モータ１３に給電を行うための４本のモータ給電用リード線１８を備える。
【００２１】
以下の説明では、互いに直交する方向をＸ方向（配列方向）、Ｙ方向（交差方向）、およびＺ方向とする。Ｘ方向は第１枠板４および第２枠板６の配列方向である。Ｚ方向は第１枠板４および第２枠板６の厚さ方向である。また、Ｘ方向においてケース７に対して第１枠板４が位置する方向をＸ１方向、ケース７に対して第２枠板６が位置する側をＸ２方向とする。Ｙ方向において、その一方側をＹ１方向、他方側をＹ２方向とする。Ｙ２方向は第１バッフル１０の回転軸である第１軸線Ｌ１および第２バッフル１１の回転軸である第２軸線Ｌ２が位置する側であり、Ｙ１方向はその反対側である。Ｚ方向において、第１枠板４および第２枠板６に対して第１バッフル１０および第２バッフル１１が位置する方向をＺ１方向、その反対方向をＺ２方向とする。
【００２２】
（第１枠板およびその周辺部分）
図４は第１バッフルおよび第２バッフルを外したダンパ装置の分解斜視図である。図５は第１バッフル、第２バッフル、第１ヒータおよび第２ヒータを外したダンパ装の分解斜視図である。図４、図５では、第１ヒータ８および第２ヒータ９に給電をおこなうための３本のリード線１５〜１７と、モータ１３に給電を行うための４本のモータ給電用リード線１８と、を省略して示す。
【００２３】
図４、５に示すように、第１枠板４は、Ｚ方向から見た場合の輪郭形状が長方形である。第１枠板４は、長手方向をＸ方向に向け、短手方向をＹ方向に向けている。第１開口部３は、Ｚ方向から見た形状が長方形であり、長手方向をＸ方向に向け、短手方向をＹ方向に向けている。図５に示すように、第１枠板４は、ケース７の側でＹ方向に延びる枠板部分４ａの幅が他の枠板部分の幅と比較して広い。
【００２４】
第１枠板４の第１開口部３の縁からは角枠状の第１シール板２０がＺ１方向に立ち上がっている。第１枠板４の外周縁において、ケース７の側に位置するＸ２方向の端縁からは、一方側第１リード線係止板２１（第１リード線係止板）と第１側板２２（第１板部）とがＺ１方向に立ち上がっている。一方側第１リード線係止板２１は第１側板２２のＹ１方向の側に位置する。一方側第１リード線係止板２１と第１側板２２とは段差なく連続している。一方側第１リード線係止板２１は第１ヒータ８に接続された２本のリード線１５、１７を係止可能な第１切欠き２３を備える。第１側板２２はケース７のＸ１方向の端板を構成するものである。従って、一方側第１リード線係止板２１はケース７からＹ１方向に突出している。
【００２５】
また、第１枠板４の外周縁においてＹ２方向の端縁のケース７の側の端縁部分からは他方側第１リード線係止板２４がＺ１方向に立ち上がっている。他方側第１リード線係止板２４は第１側板２２のＹ２方向の端縁にＸ１方向の側から連続する。他方側第１リード線係止板２４と第１側板２２とは直交している。他方側第１リード線係止板２４は、第１ヒータ８に接続された２本のリード線１５、１６を係止可能な第１切欠き２３を備える。
【００２６】
さらに、第１枠板４の外周縁部分からは、一方側第１リード線係止板２１、第１側板２
２および他方側第１リード線係止板２４とともに第１枠板４を包囲する第１補強板２７（補強部）がＺ１方向に立ち上がっている。第１補強板２７は、一方側第１リード線係止板２１および他方側第１リード線係止板２４と連続している。
【００２７】
一方側第１リード線係止板２１の第１枠板４からの高さと他方側第１リード線係止板２４の第１枠板４からの高さとは同一であり、第１側板２２の第１枠板４からの高さよりも低い。第１補強板２７の第１枠板４からの高さは、一方側第１リード線係止板２１の第１枠板４からの高さおよび他方側第１リード線係止板２４の第１枠板４からの高さよりも低い。第１枠板４は、一方側第１リード線係止板２１、第１側板２２、他方側第１リード線係止板２４および第１補強板２７によって包囲されることにより、その歪みが防止されている。
【００２８】
（第１ヒータ）
図４および図５に示すように、第１ヒータ８は、第１枠板４におけるＺ１方向の第１枠板表面４ｂに固定されている。第１ヒータ８は、シート状であり、枠状である。図５に示すように、第１ヒータ８は、一点鎖線で示す抵抗体３１が可撓性の基板３２の一方面で基板３２の延在方向に沿って延在した構造を備える。基板３２には、抵抗体３１を被うように絶縁層３３が積層されている。第１ヒータ８は、抵抗体３１の両端に一対のランド３４と、各ランド３４に設けられた第１ヒータ第１端子３５および第１ヒータ第２端子３６を備える。一対のランド３４および第１ヒータ第１端子３５および第１ヒータ第２端子３６は絶縁層３３から外部に露出している。ここで、第１ヒータ８は、ケース７が位置する側の辺部分の幅が他の辺部分より広くなっており、第１ヒータ第１端子３５および第１ヒータ第２端子３６は、この幅の広い辺部分に位置する。
【００２９】
第１ヒータ８には、抵抗体３１を避けるように複数の穴３７が形成されている。一方、第１枠板４には、穴３７に嵌る凸部３８が形成されている。従って、穴３７に凸部３８を嵌めて第１ヒータ８の位置決めを行った後、凸部３８を加熱変形させれば、第１ヒータ８を第１枠板４に固定することができる。
【００３０】
第１ヒータ８は、基板３２を第１枠板４に向けた姿勢で第１枠板表面４ｂに固定される。第１ヒータ８が第１枠板表面４ｂに固定された状態では、図４に示すように、第１ヒータ第１端子３５および第１ヒータ第２端子３６は第１枠板表面４ｂからＺ１方向に起立する。また、第１ヒータ第１端子３５および第１ヒータ第２端子３６は第１開口部３に対してケース７の側に位置する。第１ヒータ第１端子３５は、第１ヒータ第２端子３６のＹ１方向の側に位置する。
【００３１】
ここで、図４に示すように、一方側第１リード線係止板２１の第１切欠き２３、および、他方側第１リード線係止板２４の第１切欠き２３は、それぞれ、第１ヒータ第１端子３５の先端および第１ヒータ第２端子３６の先端よりも第１枠板４からＺ１方向に離間する（Ｚ１方向に位置する）。
【００３２】
なお、抵抗体３１は、図５に示すように、第１ヒータ第１端子３５および第１ヒータ第２端子３６が形成されている辺を除く３辺のうち、Ｙ２方向の側でＸ方向に延びる辺では直線状に延在し、他の２辺では蛇行するように延在している。すなわち、後述する第１バッフル１０の回転中心線である第１軸線Ｌ１に近い側よりも遠い側で抵抗体３１の形成密度が高くなっている。
【００３３】
（第２枠板およびその周辺）
図５に示すように、第２枠板６は、Ｚ方向から見た場合の輪郭形状が長方形である。第２枠板６は、長手方向をＸ方向に向け、短手方向をＹ方向に向けている。第２開口部５は
、Ｚ方向から見た形状が長方形であり、長手方向をＸ方向に向け、短手方向をＹ方向に向けている。第２枠板６は、ケース７の側でＹ方向に延びる枠板部分６ａの幅が他の枠板部分の幅と比較して広い。
【００３４】
図４、図５に示すように、第２枠板６の第２開口部５の縁からは角枠状の第２シール板４０がＺ１方向に立ち上がっている。第２枠板６の外周縁において、ケース７の側に位置するＸ１方向の端縁からは、一方側第２リード線係止板４１（第２リード線係止板）と第２側板４２（第２板部）とがＺ１方向に立ち上がっている。図２に示すように、一方側第２リード線係止板４１は第２側板４２のＹ１方向に位置する。一方側第２リード線係止板４１と第２側板４２とは段差なく連続している。一方側第２リード線係止板４１は第２ヒータ９に接続された２本のリード線１６、１７を係止可能な第２切欠き４３を備える。第２側板４２はケース７のＸ１方向の端板を構成するものである。従って、一方側第２リード線係止板４１はケース７からＹ１方向に突出している。
【００３５】
また、第２枠板６の外周縁においてＹ２方向の端縁のケース７の側の端縁部分からは他方側第２リード線係止板４４がＺ１方向に立ち上がっている。他方側第２リード線係止板４４は第２側板４２のＹ２方向の端縁にＸ１方向の側から連続する。他方側第２リード線係止板４４と第２側板４２とは直交している。他方側第１リード線係止板２４は、第２ヒータ９に接続された２本のリード線１６、１７を係止可能な第２切欠き４３を備える。
【００３６】
さらに、第２枠板６の外周縁部分からは、一方側第２リード線係止板４１、第２側板４２および他方側第２リード線係止板４４とともに第２枠板６を包囲する第２補強板４７（補強部）がＺ１方向に立ち上がっている。第２補強板４７は、一方側第２リード線係止板４１および他方側第２リード線係止板４４と連続している。
【００３７】
一方側第２リード線係止板４１の第２枠板６からの高さと他方側第２リード線係止板４４の第２枠板６からの高さとは同一であり、第２側板４２の第２枠板６からの高さよりも低い。第２補強板４７の第２枠板６からの高さは、一方側第２リード線係止板４１の第２枠板６からの高さおよび他方側第２リード線係止板４４の第２枠板６からの高さよりも低い。第２枠板６は、一方側第２リード線係止板４１、第２側板４２、他方側第２リード線係止板４４および第２補強板４７によって包囲されることにより、その歪みが防止されている。
【００３８】
（第２ヒータ）
図４、図５に示すように、第２ヒータ９は、第２枠板６におけるＺ１方向の第２枠板表面６ｂに固定されている。第２ヒータ９は、シート状であり、枠状である。第２ヒータ９は、図４に一点鎖線で示す抵抗体５１が可撓性の基板５２の一方面で基板５２の延在方向に沿って延在した構造を備える。基板５２には、抵抗体５１を被う絶縁層５３が積層されている。第２ヒータ９は、抵抗体５１の両端に一対のランド５４と、各ランド５４に設けられた第２ヒータ第１端子５５および第２ヒータ第２端子５６を備える。一対のランド５４、第２ヒータ第１端子５５および第２ヒータ第２端子５６は絶縁層５３から外部に露出している。ここで、第２ヒータ９は、ケース７が位置する側の辺部分の幅が他の辺部分より広くなっており、第２ヒータ第１端子５５および第２ヒータ第２端子５６は、この幅の広い辺部分に位置する。
【００３９】
第２ヒータ９には、抵抗体５１を避けるように複数の穴５７が形成されている。一方、第２枠板６には、穴５７に嵌る凸部５８が形成されている。従って、穴５７に凸部５８を嵌めて第２ヒータ９の位置決めを行った後、凸部５８を加熱変形させれば、第２ヒータ９を第２枠板６に固定することができる。
【００４０】
第２ヒータ９は、基板５２を第２枠板６に向けた姿勢で第２枠板表面６ｂに固定される。図２に示すように、第２ヒータ９が第２枠板表面６ｂに固定された状態では、第２ヒータ第１端子５５および第２ヒータ第２端子５６は、第２開口部５に対してケース７の側に位置して、第２枠板表面６ｂからＺ１方向に起立する。第２ヒータ第２端子５６は、第２ヒータ第１端子５５のＹ１方向の側に位置する。
【００４１】
ここで、一方側第２リード線係止板４１の第２切欠き４３、および、他方側第２リード線係止板４４の第２切欠き４３は、それぞれ、第２ヒータ第１端子５５の先端および第２ヒータ第２端子５６の先端よりも、第２枠板６からＺ１方向に離間する（Ｚ１方向に位置する）。
【００４２】
なお、図５に示すように、抵抗体５１は、第２ヒータ第１端子および第２ヒータ第２端子５６が形成されている辺を除く３辺のうち、Ｙ２方向の側でＸ方向に延びる辺では直線状に延在し、他の２辺では蛇行するように延在している。すなわち、後述するように、第２バッフル１１の回転中心線である第２軸線に近い側よりも遠い側で抵抗体５１の形成密度が高くなっている。
【００４３】
（ケース）
図６は、第１フレーム部材、第２フレーム部材、ケース部材を分解したダンパ装置の分解斜視図である。図４に示すように、ケース７は、Ｘ１方向（第１枠板４の側）の端に位置する第１側板２２と、Ｘ２方向（第２枠板６の側）の端に位置する第２側板４２と、第１側板２２と第２側板４２との間に位置して駆動機構１２を収容する収容部６１を備えるケース本体６２と、を備える。図６に示すように、ケース本体６２は、Ｘ方向に延びる筒部６３および筒部６３におけるＸ１方向の開口を封鎖する底部６４を備える。第１側板２２は底部６４を第１枠板４の側から被う。Ｘ方向から見た場合に底部６４と第１側板２２とは同一形状であり、底部６４と第１側板２２とはＸ方向に積層された状態でケース７の第１方向の側の端壁を構成している。第１側板２２は第１枠板４のＸ２方向の端縁から立ち上がっている。第２側板４２は筒部６３におけるＸ１方向の開口を封鎖する。第２側板４２は第２枠板６のＸ１方向の端縁から立ち上がっている。
【００４４】
ケース７はＸ方向およびＹ方向に比較してＺ方向が長い。ケース７のＹ方向の寸法は、第１枠板４および第２枠板６のＹ方向の寸法よりも短く、第１枠板４および第２枠板６はケース７からＹ１方向に突出している。従って、一方側第１リード線係止板２１は、第１枠板４のケース７の側の端縁においてケース７からＹ１方向に突出している端縁部分から立ち上がっている。また、一方側第２リード線係止板４１は、第２枠板６のケース７の側の端縁においてケース７からＹ１方向に突出している端縁部分から立ち上がっている。一方側第１リード線係止板２１と一方側第２リード線係止板４１とは、ケース７のＹ１方向の側に位置してＸ方向で対向している。これにより、図１に示すように、ケース７のＹ１方向の側には、ケース本体６２と一方側第１リード線係止板２１と一方側第２リード線係止板４１とにより凹部６５が区画されている。
【００４５】
図３に示すように、ケース７のＹ２方向の側の端面のＺ１方向の側の部分にはコネクタ用凹部６６が設けられている。コネクタ用凹部６６の内側には、ケース側コネクタ６７が配置されている。ケース側コネクタ６７には、ケース７内に収容されたモータ１３に給電を行うための４本のモータ給電用リード線１８が組み付けられたリード線側コネクタ６８が着脱可能に接続されている。ケース側コネクタ６７に対してリード線側コネクタ６８が装着される装着方向は第１枠板４からケース７に向かう方向（Ｘ２方向）である。
【００４６】
ここで、図６に示すように、第１枠板４、一方側第１リード線係止板２１、第１側板２２、他方側第１リード線係止板２４、および、第１補強板２７は、第１フレーム部材７１
に設けられている。第２枠板６、一方側第２リード線係止板４１、第２側板４２、他方側第２リード線係止板４４、および、第２補強板４７は、第２フレーム部材７２に設けられている。ケース本体６２は、ケース部材７３に設けられている。第１フレーム部材７１と第２フレーム部材７２とはケース部材７３を間に挟んで連結されている。これにより、第１枠板４と第２枠板６とはケース７を間に挟んで並列に配置される。
【００４７】
（駆動機構）
ケース７内（ケース本体６２の収容部６１）には、第１バッフル１０および第２バッフル１１を駆動する駆動機構１２が収容されている。駆動機構１２は、駆動源であるモータ１３と、ケース７からＸ１方向に突出する第１回転軸７５と、ケース７からＸ２方向に突出する第２回転軸７６と、モータ１３の回転を第１回転軸７５および第２回転軸７６に伝達する伝達機構７７と、を備える。モータ１３は３相モータである。モータ１３には給電を行うための４本の配線の一方端が接続されている。４本の配線の他方端はケース７の内側においてケース側コネクタ６７に接続されている。第１回転軸７５は、ケース７の第１枠板４の側の端部分（Ｚ２方向の端部分）におけるＹ２方向の端部分から突出して、第１枠板４の第１枠板表面４ｂに沿ってＸ１方向に延びる。第１回転軸７５は、ケース本体６２の底部６４および第１側板２２を貫通している。第２回転軸７６は、ケース７の第２枠板６の側の端部分（Ｚ２方向の端部分）におけるＹ２方向の端部分から突出して、第２枠板６の第２枠板表面６ｂに沿ってＸ２方向に延びる。第２回転軸７６は第２側板４２を貫通している。
【００４８】
（第１バッフル）
図４、図５に示すように、第１バッフル１０は、第１開口部３よりサイズが大きな第１開閉板８１と、第１開閉板８１の第１開口部３の側の面に保持された矩形の第１弾性部材８２とを備える。第１弾性部材８２は、シート状であり、発泡ポリウレタン等からなる。第１開閉板８１には、第１回転軸７５に接続される第１連結部８３と、第１補強板２７において第１枠板４のＸ１方向の端縁から立ち上がってＹ方向に延びる補強板部分に回転可能に支持される第１軸部８４とが設けられている。
【００４９】
第１バッフル１０は、駆動機構１２により第１回転軸７５の第１軸線Ｌ１回りに回転駆動される。第１回転軸７５は、第１枠板４においてＹ２方向の側でＸ方向に延びる枠板部分のＺ１方向を通過する。第１バッフル１０は、第１軸線Ｌ１回りの一方側に回転して第１弾性部材８２が第１シール板２０に当接した際、第１開口部３を塞いだ閉状態となる。また、第１バッフル１０は、第１軸線Ｌ１回りの他方側に回転して第１弾性部材８２が第１シール板２０から離間した際、第１開口部３を開放した開状態となる。
【００５０】
（第２バッフル）
第２バッフル１１は、第２開口部５よりサイズが大きな第２開閉板８５と、第２開閉板８５の第２開口部５の側の面に保持された矩形の第２弾性部材８６とを備える。第２弾性部材８６は、シート状であり、発泡ポリウレタン等からなる。第２開閉板８５には、第２回転軸７６に接続される第２連結部８７と、第２補強板４７において第２枠板６のＸ２方向の端縁から立ち上がってＹ方向に延びる補強板部分に回転可能に支持される第２軸部８８とが設けられている。
【００５１】
第２バッフル１１は、駆動機構１２により第２回転軸７６の第２軸線Ｌ２回りに回転駆動される。第２回転軸７６は、第２枠板６においてＹ２方向の側でＸ方向に延びる枠板部分のＺ１方向を通過する。第２バッフル１１は、第２軸線Ｌ２回りの一方側に回転して第２弾性部材８６が第２シール板４０に当接した際、第２開口部５を塞いだ閉状態となる。また、第２バッフル１１は、第２軸線Ｌ２回りの他方側に回転して第２弾性部材８６が第２シール板４０から離間した際、第２開口部５を開放した開状態となる。
【００５２】
ここで、第１回転軸７５と第２回転軸７６とは同軸に配置されている。従って、第１バッフル１０の回転中心である第１軸線Ｌ１と第２バッフル１１の回転中心である第２軸線Ｌ２とは同軸である。
【００５３】
（配線）
次に、ダンパ装置１における第１ヒータ８、第２ヒータ９およびモータ１３の配線を説明する。図７は、第１ヒータ８、第２ヒータ９およびモータ１３の配線の説明図である。本例では、第１ヒータ８および第２ヒータ９の配線として、第１ヒータ８の第１ヒータ第１端子３５に接続された第１ヒータ側リード線１５（第１リード線）と、第１ヒータ８の第１ヒータ第２端子３６と第２ヒータ９の第２ヒータ第１端子５５に接続されたヒータ直列接続用リード線１６（第２リード線および第３リード線）と、第２ヒータ９の第２ヒータ第２端子５６に接続された第２ヒータ側リード線１７（第４リード線）を備える。第１ヒータ８においてＹ１方向の側に位置する第１ヒータ第２端子３６と、第２ヒータ９においてＹ１方向の側に位置する第２ヒータ第１端子５５とがヒータ直列接続用リード線１６によって接続されることにより、第１ヒータ８と第２ヒータ９とは直列に接続されている。
【００５４】
図１、図３に示すように、第１ヒータ側リード線１５は、第１ヒータ第１端子３５からＺ１方向に引き出されて、一方側第１リード線係止板２１の第１切欠き２３に係止されている。図１に示すように、第１ヒータ側リード線１５において第１切欠き２３に保持されている部分から第１ヒータ第１端子３５とは反対側に延在している第１ヒータ側リード線部分１５ａ（第１リード線部分）は、ケース７のＹ１方向の側において、ケース本体６２と一方側第１リード線係止板２１と一方側第２リード線係止板４１とにより区画された凹部６５内を引き回される。図２に示すように、第２ヒータ側リード線１７は、第２ヒータ第２端子５６からＺ１方向に引き出されて、一方側第２リード線係止板４１の第２切欠き４３に係止されている。第２ヒータ側リード線１７において第２切欠き４３に保持されている部分から第２ヒータ第２端子５６とは反対側に延在している第２ヒータ側リード線部分１７ａ（第４リード線部分）は、ケース７のＹ１方向の側に区画された凹部６５内を引き回されている。
【００５５】
また、図１に示すように、ヒータ直列接続用リード線１６における第１ヒータ８の第１ヒータ第２端子３６の側の部分は、第１ヒータ第２端子３６からＺ１方向に引き出されて、一方側第１リード線係止板２１の第１切欠き２３に係止されている。一方、図２に示すように、ヒータ直列接続用リード線１６における第２ヒータ９の第２ヒータ第１端子５５の側の部分は、第２ヒータ第１端子５５からＺ１方向に引き出されて、一方側第２リード線係止板４１の第２切欠き４３に係止されている。
【００５６】
さらに、図７に示すように、ヒータ直列接続用リード線１６において第１切欠き２３と第２切欠き４３との間に位置する延在部分１６ａ（第２リード線部分、第３リード線部分）は、凹部６５の内側で２つに折り曲げられた折り曲げ部分９１を備える。折り曲げ部分９１は、第１切欠き２３からＺ２方向に延びる第１延在部９１ａと、第２切欠き４３から第２方向に延びる第２延在部９１ｂと、第１延在部９１ａと第２延在部９１ｂのＺ２方向の端を接続する屈曲部９１ｃを備える。折り曲げ部分９１は、第１ヒータ側リード線部分１５ａおよび第２ヒータ側リード線部分１７ａとともに、結束バンドなどの結束部材９３により、束ねられている。なお、結束部材９３として、粘着テープを用いることもできる。
【００５７】
ここで、ヒータ直列接続用リード線１６が接続された第１ヒータ第２端子３６は、第１ヒータ側リード線１５が接続された第１ヒータ第１端子３５よりも一方側第１リード線係
止板２１の第１切欠き２３に近い位置にある。また、ヒータ直列接続用リード線１６が接続された第２ヒータ第１端子５５は、第２ヒータ側リード線１７が接続された第２ヒータ第２端子５６よりも一方側第２リード線係止板４１の第２切欠き４３に近い位置にある。従って、ヒータ直列接続用リード線１６を第１切欠き２３および第２切欠き４３に係止する際に、第１ヒータ第２端子３６から第１側板２２に沿って引き出されて第１切欠き２３に至るリード線部分、および、第２ヒータ第１端子５５から第２側板４２に沿って引き出されて第２切欠き４３に至るリード線部分を短くすることができる。よって、ヒータ直列接続用リード線１６を第１切欠き２３に係止し、しかる後に、第１ヒータ側リード線１５を第１切欠き２３に係止するとともに、ヒータ直列接続用リード線１６を第２切欠き４３に係止し、しかる後に、第２ヒータ側リード線１７を第２切欠き４３に係止すれば、ヒータ直列接続用リード線１６、第１ヒータ側リード線１５および第２ヒータ側リード線１７が絡まることを防止しやすい。
【００５８】
また、図１に示すように、第１切欠き２３は、一方側第１リード線係止板２１におけるＺ１方向の端縁からＺ２方向に向かって当該一方側第１リード線係止板２１と第１側板２２との境界をケース本体６２のケース本体６２のＹ１方向の端面に沿って延びている。従って、第１切欠き２３に係止された第１ヒータ側リード線１５の第１ヒータ側リード線部分１５ａを、ケース本体６２のＹ１方向の端面に沿わせることが容易である。同様に、第２切欠き４３は、一方側第２リード線係止板４１におけるＺ１方向の端縁からＺ２方向に向かって当該一方側第２リード線係止板４１と第２側板４２との境界をケース本体６２のＹ１方向の端面に沿って延びている。従って、第２切欠き４３に係止された第２ヒータ側リード線１７の第２ヒータ側リード線部分１７ａをケース本体６２のＹ１方向の端面に沿わせることが容易である。また、第１切欠き２３および第２切欠き４３に係止されたヒータ直列接続用リード線１６については、一方側第１リード線係止板２１と一方側第２リード線係止板４１との間に位置する折り曲げ部分９１をケース本体６２のＹ１方向の端面に沿わせることが容易である。
【００５９】
次に、ケース側コネクタ６７に接続されたリード線側コネクタ６８から引き出された４本のモータ給電用リード線１８は、図３に示すように、コネクタ用凹部６６からケース本体６２のＹ２方向の端面に沿ってＺ１方向に引き出され、ケース本体６２のＺ１方向の側の端面に沿って折り曲げられてＹ１方向に引き出され、しかる後に、図１に示すように、ケース本体６２のＹ１方向の端面に沿って折り曲げられてＺ２方向に引き出されている。従って、モータ給電用リード線１８は、ケース本体６２のＹ２方向の端面に沿って延在する第１延在部分１８ａ、ケース本体６２のＺ１方向の側の端面に沿って延在する第２延在部分１８ｂ、ケース本体６２のＹ１方向の端面に沿って延在する第３延在部分１８ｃを備える。
【００６０】
ケース本体６２のＹ１方向の端面には、粘着テープなどの貼付部材９４が貼り付けられている。４本のモータ給電用リード線１８はケース本体６２と貼付部材９４との間に保持されて、Ｚ２方向に引き出されている。貼付部材９４は、ケース本体６２のＹ１方向の端面における一方側第１リード線係止板２１および一方側第２リード線係止板４１よりもＺ１方向の端面部分に貼り付けられている。ケース本体６２のＹ１方向の端面に沿ってＺ２方向に引き出された４本のモータ給電用リード線１８は、凹部６５の内側を引き回される。
【００６１】
ここで、第１ヒータ側リード線１５、第２ヒータ側リード線１７、および４本のモータ給電用リード線１８の先端は、外部接続用コネクタ９５に組み付けられる。外部接続用コネクタ９５は、ダンパ装置１の駆動を制御する冷蔵庫の制御部に設けられ制御部側コネクタに接続される。
【００６２】
（ダンパ装置の動作）
ダンパ装置１は、冷気通路を構成するダクトの内側に配置される。ダクトを流通する冷気は、第１開口部３に対して第１バッフル１０が配置されている側とは反対側の共通流路から第１開口部３を通ってＺ１方向に流れる。また、冷気は、第２開口部５に対して第２バッフル１１が配置されている側とは反対の共通流路から第２開口部５を通ってＺ１方向に流れる。そして、冷気は、第１開口部３を含む第１流路と、第２開口部５を含む第２流路とに分配される。その際、ダンパ装置１は、モータ１３の駆動により第１バッフル１０および第２バッフル１１を回転させて、それぞれの開度を調整し、冷気の流量を調節する。
【００６３】
また、ダンパ装置１は、第１ヒータ８および第２ヒータ９を、定期的、或いは、所定のタイミングで駆動して、第１ヒータ８および第２ヒータ９を発熱させる。これにより、第１枠板４の第１開口部３の周囲で結露した水が凍って第１枠板４と第１バッフル１０とが氷結により吸着することを防止するとともに、第２枠板６の第２開口部５の周囲で結露した水が凍って第２枠板６と第２バッフル１１とが氷結により吸着することを防止する。従って、ダンパ装置１によれば、第１バッフル１０による第１開口部３の開閉動作や第２バッフル１１による第２開口部５の開閉動作が阻害されることがなく、冷気の流量の調節動作に不具合が発生することがない。
【００６４】
なお、第１開口部３および第２開口部５に対して第１バッフル１０および第２バッフル１１が配置されている側から冷気が流れるように構成する場合もある。
【００６５】
（作用効果）
本例では、１台のダンパ装置１において、第１開口部３を含む流路、および第２開口部５を含む流路に対する冷気の分配等を行うことができる。また、第１枠板４の第１枠板表面４ｂに第１ヒータ８が設けられ、第２枠板６の第２枠板表面６ｂに第２ヒータ９が設けられているので、第１バッフル１０と第１枠板４との氷結、および第２バッフル１１と第２枠板６との氷結の双方を抑制することができる。
【００６６】
また、本例では、第１枠板４の外周縁におけるケース７側の外周縁部分から一方側第１リード線係止板２１が立ち上がっており、一方側第１リード線係止板２１に設けられた第１切欠き２３に第１ヒータ８の第１ヒータ第１端子３５に接続された第１ヒータ側リード線１５と、第１ヒータ第２端子３６に接続されたヒータ直列接続用リード線１６の第１枠板４側の部分とが係止される。同様に、第２枠板６の外周縁におけるケース７側の外周縁部分から一方側第２リード線係止板４１が立ち上がっており、一方側第２リード線係止板４１に設けられた第２切欠き４３に第２ヒータ９の第１ヒータ第１端子３５に接続されたヒータ直列接続用リード線１６の第２枠板６側の部分と、第２ヒータ第２端子５６に接続された第２ヒータ側リード線１７とが係止される。従って、第１ヒータ側リード線１５およびヒータ直列接続用リード線１６を、第１バッフル１０と干渉しないケース７の側に向かって引き回すことができる。また、ヒータ直列接続用リード線１６および第２ヒータ側リード線１７を第２バッフル１１と干渉しないケース７の側に向かって引き回すことができる。
【００６７】
さらに、本例では、第１ヒータ第１端子３５および第１ヒータ第２端子３６は、第１開口部３に対してケース７の側に設けられて、第１枠板表面４ｂから起立している。これにより、第１ヒータ第１端子３５および第１ヒータ第２端子３６から第１切欠き２３までの距離が短くなるので、第１ヒータ側リード線１５およびヒータ直列接続用リード線１６と第１バッフル１０との干渉を回避しながら、これらのリード線を引き回すことが容易である。また、第２ヒータ第１端子５５および第２ヒータ第２端子５６は、第２開口部５に対してケース７の側に設けられて第２枠板表面６ｂから起立している。これにより、第２ヒ
ータ第１端子５５および第２ヒータ第２端子５６から第２切欠き４３までの距離が短くなるので、ヒータ直列接続用リード線１６および第２ヒータ側リード線１７と第２バッフル１１との干渉を回避しながらこれらのリード線を引き回すことが容易である。
【００６８】
また、第１切欠き２３は、第１ヒータ第１端子３５の先端および第１ヒータ第２端子３６の先端よりも第１枠板４からＺ１方向に離間する位置に設けられており、第２切欠き４３は、第２ヒータ第１端子５５の先端および第２ヒータ第２端子５６の先端よりも第２枠板６からＺ１方向に離間する位置に設けられている。従って、第１ヒータ第１端子３５および第１ヒータ第２端子３６にそれぞれ接続した第１ヒータ側リード線１５およびヒータ直列接続用リード線１６を、第１ヒータ第１端子３５および第１ヒータ第２端子３６が起立している方向に沿って引き出して、第１切欠き２３に係止させることができる。よって、第１ヒータ側リード線１５およびヒータ直列接続用リード線１６の引き回しに際して、第１ヒータ側リード線１５と第１ヒータ第１端子３５との接続部分およびヒータ直列接続用リード線１６と第１ヒータ第２端子３６との接続部分が屈曲するなどして損傷することを防止できる。また、第２ヒータ第１端子５５および第２ヒータ第２端子５６にそれぞれ接続したヒータ直列接続用リード線１６および第２ヒータ側リード線１７を、第２ヒータ第１端子５５および第２ヒータ第２端子５６が起立している方向に沿って引き出して、第２切欠き４３に係止させることができる。よって、ヒータ直列接続用リード線１６および第２ヒータ側リード線１７の引き回しに際して、ヒータ直列接続用リード線１６と第２ヒータ第１端子５５との接続部分および第２ヒータ側リード線１７と第２ヒータ第２端子５６との接続部分が屈曲するなどして損傷することを防止できる。
【００６９】
さらに、本例では、第１ヒータ側リード線１５において第１切欠き２３に保持されている部分から第１ヒータ第１端子３５とは反対側に延在している第１ヒータ側リード線部分１５ａ、第２ヒータ側リード線１７において第２切欠き４３に保持されている部分から第２ヒータ第２端子５６とは反対側に延在している第２ヒータ側リード線部分１７ａ、および、ヒータ直列接続用リード線１６の折り曲げ部分９１は、ケース７体のＹ１方向の側に区画された凹部６５内を引き回されている。従って、これらのリード線部分が凹部６５から第１側板２２の側や第２側板４２の側に移動して、第１バッフル１０や第２バッフル１１と干渉することがない。
【００７０】
また、本例では、第１ヒータ８と第２ヒータ９とをヒータ直列接続用リード線１６によって直列に接続している。これにより、第１ヒータ８と第２ヒータ９のそれぞれに２本のリード線を接続する場合と比較して、第１ヒータ８および第２ヒータ９へ給電を行うためのリード線の本数を減らすことができるので、リード線の引き回しが容易となる。
【００７１】
さらに、ヒータ直列接続用リード線１６は、凹部６５の内側で２つに折り曲げられた折り曲げ部分９１を備え、折り曲げ部分９１は、結束部材９３により、束ねられている。これにより、ヒータ直列接続用リード線１６を折り曲げていないときに、ヒータ直列接続用リード線１６の長さを確保できるので、ヒータ直列接続用リード線１６の一方の端を第１ヒータ第２端子３６に接続し、他方の端を第２ヒータ第１端子５５に接続することが容易である。また、折り曲げ部分９１を設けて束ねることにより、第１切欠き２３と第２切欠き４３との間におけるヒータ直列接続用リード線１６の延在部分１６ａの弛みを無くすことができるので、ヒータ直列接続用リード線１６が凹部６５から外側に移動して、第１バッフル１０や第２バッフル１１と干渉することを防止できる。
【００７２】
かかる効果について、図８を参照して詳細に説明する。図８はダンパ装置の組み立て動作における第１ヒータ、第２ヒータの配線の引き回しの説明図である。図８に示すように、ダンパ装置１の組み立てに際しては、第１フレーム部材７１に第１ヒータ８を組み付けるとともに、第１フレーム部材７１に第１バッフル１０を載置し、第１ヒータ８の第１ヒ
ータ第１端子３５に第１ヒータ側リード線１５を接続し、第１ヒータ第２端子３６にヒータ直列接続用リード線１６の一方の端を接続する。そして、第１ヒータ側リード線１５およびヒータ直列接続用リード線１６を一方側第１リード線係止板２１の第１切欠き２３に係止しておく。また、これに並行して、第２フレーム部材７２に第２ヒータ９を組み付けるとともに、第２フレーム部材７２に第２バッフル１１を載置し、第２ヒータ９の第２ヒータ第２端子５６に第２ヒータ側リード線１７を接続し、第２ヒータ第２端子５６にヒータ直列接続用リード線１６の一方の端を接続する。そして、第２ヒータ側リード線１７およびヒータ直列接続用リード線１６を一方側第２リード線係止板４１の第２切欠き４３に係止しておく。さらに、これと並行して、ケース本体６２内に、駆動機構１２を収容した状態としておく。
【００７３】
ここで、図８に示すように、第１フレーム部材７１と第２フレーム部材７２とを離間させた状態で、第１ヒータ８および第２ヒータ９に対する配線を行った場合でも、ヒータ直列接続用リード線１６を折り曲げていない状態では、ヒータ直列接続用リード線１６が長いので、ヒータ直列接続用リード線１６の一方の端を第１フレーム部材７１に支持された第１ヒータ第２端子３６に接続し、他方の端を第２フレーム部材７２に支持された第２ヒータ第１端子５５に接続することが容易である。
【００７４】
次に、第１フレーム部材７１と、第２フレーム部材７２とを、ケース本体６２を間に挟んで連結する。また、この際に、第１回転軸７５に第１バッフル１０の第１連結部８３を接続し、第２回転軸７６に第２バッフル１１の第２連結部８７を接続する。これにより、ケース７のＹ１方向の側には、ケース本体６２と一方側第１リード線係止板２１と一方側第２リード線係止板４１とにより凹部６５が区画される。また、第１ヒータ側リード線部分１５ａ、第２ヒータ側リード線部分１７ａ、および、ヒータ直列接続用リード線１６の第１切欠き２３と第２切欠き４３との間に位置する延在部分１６ａが、凹部６５の内側に配置される。
【００７５】
ここで、ヒータ直列接続用リード線１６の第１切欠き２３と第２切欠き４３との間に位置する延在部分１６ａは、弛んだ状態となる。従って、図１、図２に示すように、延在部分１６ａを折り曲げて折り曲げ部分９１を設ける。また、結束部材９３により、折り曲げ部分９１と、第１ヒータ側リード線部分１５ａと第２ヒータ側リード線部分１７ａと、を結束する。これにより、第１切欠き２３と第２切欠き４３との間でヒータ直列接続用リード線１６の弛んだ状態となることを回避できるので、ヒータ直列接続用リード線１６が凹部６５から外側に移動して、第１バッフル１０や第２バッフル１１と干渉してしまうことがない。
【００７６】
また、本例では、４本のモータ給電用リード線１８は、ケース本体６２に貼り付けられた貼付部材９４とケース本体６２との間に保持されて、凹部６５の内側を引き回されている。従って、４本のモータ給電用リード線１８についても、第１ヒータ側リード線１５、ヒータ直列接続用リード線１６おび第２ヒータ側リード線１７と同様に、ケース７の一方側（凹部６５内）を引き回すことができる。また、４本のモータ給電用リード線１８、第１ヒータ側リード線１５、おおび第２ヒータ側リード線１７を外部接続用コネクタ９５に組み付けることが容易である。
【００７７】
（変形例）
なお、第１ヒータ側リード線１５およびヒータ直列接続用リード線１６を他方側第１リード線係止板２４（第１リード線係止板）の第１切欠き２３に係止し、第２ヒータ側リード線１７およびヒータ直列接続用リード線１６を他方側第２リード線係止板４４（第２リード線係止板）の第２切欠き４３に係止して、これらのリード線をケース７のＹ２方向に引き出すこともできる。
【００７８】
（実施例２）
次に、図９を参照して実施例２のダンパ装置１を説明する。図９は実施例２のダンパ装置の第１ヒータ、第２ヒータおよびモータ１３の配線の説明図である。実施例２のダンパ装置１Ａは、第１ヒータ８および第２ヒータ９への配線、およびモータ給電用リード線１８の配線の引き回しが実施例１とは相違するが、他の部分は実施例１と同様の構成を備える。従って、対応する部分には、同一の符号を付して、その説明を省略する。
【００７９】
（配線）
本例では、第１ヒータ８および第２ヒータ９の配線として、第１ヒータ８の第１ヒータ第１端子３５に接続された第１リード線１０１と、第１ヒータ８の第１ヒータ第２端子３６に接続された第２リード線１０２と、第２ヒータ９の第２ヒータ第１端子５５に接続された第３リード線１０３と、第２ヒータ９の第２ヒータ第２端子５６に接続された第４リード線１０４と、を備える。
【００８０】
第１リード線１０１は、第１ヒータ第１端子３５からＺ１方向に引き出されて、他方側第１リード線係止板２４（第１リード線係止板）の第１切欠き２３に係止されている。第２リード線１０２は、第１ヒータ第２端子３６からＺ１方向に引き出されて、他方側第１リード線係止板２４（第１リード線係止板）の第１切欠き２３に係止されている。第１リード線１０１において第１切欠き２３に保持されている部分から第１ヒータ第１端子３５とは反対側に延在している第１リード線部分１０１ａは、ケース７、他方側第１リード線係止板２４および第１補強板２７のＹ２方向の外側を引き回される。第２リード線１０２において第１切欠き２３に保持されている部分から第１ヒータ第２端子３６とは反対側に延在している第２リード線部分１０２ａは、ケース７、他方側第１リード線係止板２４および第１補強板２７のＹ２方向の外側を引き回される。
【００８１】
ここで、他方側第１リード線係止板２４のＹ２方向の端面には、粘着テープなどの貼付部材１０６が貼り付けられており、第１リード線１０１と第２リード線１０２とは、他方側第１リード線係止板２４と貼付部材１０６との間に保持されて、Ｘ２方向に引き出されている。
【００８２】
第３リード線１０３は、第２ヒータ第１端子５５からＺ１方向に引き出されて、他方側第２リード線係止板４４（第２リード線係止板）の第２切欠き４３に係止されている。第４リード線１０４は、第２ヒータ第２端子５６からＺ１方向に引き出されて、他方側第２リード線係止板４４（第２リード線係止板）の第２切欠き４３に係止されている。第３リード線１０３において第２切欠き４３に保持されている部分から第２ヒータ第１端子５５とは反対側に延在している第３リード線部分１０３ａは、ケース７、他方側第２リード線係止板４４および第２補強板４７のＹ２方向の外側を引き回される。第４リード線１０４において第２切欠き４３に保持されている部分から第２ヒータ第２端子５６とは反対側に延在している第４リード線部分１０４ａは、ケース７、他方側第２リード線係止板４４および第２補強板４７のＹ２方向の外側を引き回される。
【００８３】
ここで、ケース本体６２のＹ２方向の端面には、粘着テープなどの貼付部材１０７が貼り付けられており、第３リード線１０３と第４リード線１０４とは、ケース本体６２と貼付部材１０７との間に保持されて、Ｘ２方向に引き出されている。
【００８４】
次に、ケース側コネクタ６７に接続されたリード線側コネクタ６８から引き出された４本のモータ給電用リード線１８は、ケース側コネクタ６７の装着方向（Ｘ２方向）とは反対側のＸ１方向に向かって引き回される。
【００８５】
ここで、図９に示すように、第１切欠き２３は、他方側第１リード線係止板２４におけるＺ１方向の端縁からＺ２方向に向かって当該他方側第１リード線係止板２４と第１側板２２との境界を第１側板２２に沿って延びている。従って、第１ヒータ第１端子３５に接続された第１リード線１０１と第１ヒータ第２端子３６に接続された第２リード線１０２とを、ケース７の第１側板２２に沿わせた状態で引き回した後に、第１切欠き２３からケース７、他方側第１リード線係止板２４および第１補強板２７のＹ２方向に引き出すことが容易である。また、第２切欠き４３は、他方側第２リード線係止板４４におけるＺ１方向の端縁からＺ２方向に向かって当該他方側第２リード線係止板４４と第２側板４２との境界を第２側板４２に沿って延びている。従って、第２ヒータ第２端子５６に接続された第３リード線１０３と第２ヒータ第２端子５６に接続された第４リード線１０４とを、ケース７の第２側板４２に沿わせた状態で引き回した後に、第２切欠き４３から、ケース７、他方側第２リード線係止板４４および第２補強板４７のＹ２方向に引き出すことが容易である。
【００８６】
（作用効果）
本例では、第１枠板４の外周縁におけるケース７側の外周縁部分から立ち上がる他方側第１リード線係止板２４の第１切欠き２３に第１ヒータ８の第１ヒータ第１端子３５に接続された第１リード線１０１と、第１ヒータ第２端子３６に接続された第２リード線１０２とが係止される。同様に、第２枠板６の外周縁におけるケース７側の外周縁部分から立ち上がる他方側第２リード線係止板４４の第２切欠き４３に、第２ヒータ９の第２ヒータ第１端子５５に接続された第３リード線１０３と、第２ヒータ第２端子５６に接続された第４リード線１０４とが係止される。従って、第１リード線１０１および第２リード線１０２を第１バッフル１０と干渉しないケース７の側に向かって引き回すことができる。また、第２リード線１０２および第４リード線１０４を第２バッフル１１と干渉しないケース７の側に向かって引き回すことができる。
【００８７】
また、第１ヒータ第１端子３５および第１ヒータ第２端子３６は、第１開口部３に対してケース７の側に設けられて、第１枠板表面４ｂから起立している。これにより、第１ヒータ第１端子３５および第１ヒータ第２端子３６から第１切欠き２３までの距離が短くなるので、第１リード線１０１および第２リード線１０２と第１バッフル１０との干渉を回避しながら、これらを引き回すことが容易である。また、同様に第２ヒータ第１端子５５および第２ヒータ第２端子５６は、第２開口部５に対してケース７の側に設けられて、第２枠板表面６ｂから起立している。これにより、第２ヒータ第１端子５５および第２ヒータ第２端子５６から第２切欠き４３までの距離が短くなるので、第３リード線１０３および第４リード線１０４と第２バッフル１１との干渉を回避しながらこれらを引き回すことが容易である。
【００８８】
さらに、第１切欠き２３は、第１ヒータ第１端子３５の先端および第１ヒータ第２端子３６の先端よりも第１枠板４からＺ１方向に離間する位置に設けられており、第２切欠き４３は、第２ヒータ第１端子５５の先端および第２ヒータ第２端子５６の先端よりも第２枠板６からＺ１方向に離間する位置に設けられている。従って、第１ヒータ第１端子３５および第１ヒータ第２端子３６にそれぞれ接続した第１リード線１０１および第２リード線１０２を、第１ヒータ第１端子３５および第１ヒータ第２端子３６が起立している方向に沿って引き出して、第１切欠き２３に係止させることができる。これにより、第１リード線１０１および第２リード線１０２の引き回しに際して、第１リード線１０１と第１ヒータ第１端子３５との接続部分および第２リード線１０２と第１ヒータ第２端子３６との接続部分が屈曲するなどして損傷することを防止できる。また、第２ヒータ第１端子５５および第２ヒータ第２端子５６にそれぞれ接続した第３リード線１０３および第４リード線１０４を、第２ヒータ第１端子５５および第２ヒータ第２端子５６が起立している方向に沿って引き出して、第２切欠き４３に係止させることができる。これにより、第３リー
ド線１０３および第４リード線１０４の引き回しに際して、第３リード線１０３と第２ヒータ第１端子５５との接続部分および第４リード線１０４と第２ヒータ第２端子５６との接続部分が屈曲するなどして損傷することを防止できる。
【００８９】
また、本例では、第１ヒータ８に２本のリード線が接続されており、第２ヒータ９に２本のリード線が接続されている。従って、第１ヒータ８と第２ヒータ９とを別々に駆動することできる。
【００９０】
（変形例）
なお、第１リード線１０１および第２リード線１０２を一方側第１リード線係止板２１の第１切欠き２３に係止し、第３リード線１０３および第４リード線１０４を一方側第２リード線係止板４１の第２切欠き４３に係止して、これらのリード線の延在部分をケース７のＹ１に区画された凹部６５内で引き回してもよい。
【符号の説明】
【００９１】
１・１Ａ…ダンパ装置、３…第１開口部、４…第１枠板、４ａ…枠板部分、４ｂ…第１枠板表面、５…第２開口部、６…第２枠板、６ａ…枠板部分、６ｂ…第２枠板表面、７…ケース、８…第１ヒータ、９…第２ヒータ、１０…第１バッフル、１１…第２バッフル、１２…駆動機構、１３…モータ、１５…第１ヒータ側リード線（第１リード線）、１５ａ…第１ヒータ側リード線部分（第１リード線部分）、１６…ヒータ直列接続用リード線（第２リード線、第３リード線）、１６ａ…延在部分（第２リード線部分、第３リード線部分）、１７…第２ヒータ側リード線（第４リード線）、１７ａ…ヒータ側リード線部分（第４リード線部分）、１８…モータ給電用リード線、１８ａ…第１延在部分、１８ｂ…第２延在部分、１８ｃ…第３延在部分、２０…第１シール板、２１…一方側第１リード線係止板（第１リード線係止板）、２２…第１側板（第１板部）、２３…第１切欠き２３、２４…他方側第１リード線係止板（第１リード線係止板）、２７…第１補強板、３１…抵抗体、３２…基板、３３…絶縁層、３４…ランド、３５…第１ヒータ第１端子、３６…第１ヒータ第２端子、３７…穴、３８…凸部、４０…第２シール板、４１…一方側第２リード線係止板（第２リード線係止板）、４２…第２側板（第２板部）、４３…第２切欠き、４４…他方側第２リード線係止板（第２リード線係止板）、４７…第２補強板、５１…抵抗体、５２…基板、５３…絶縁層、５４…ランド、５５…第２ヒータ第１端子、５６…第２ヒータ第２端子、５７…穴、５８…凸部、６１…収容部、６２…ケース本体、６３…筒部、６４…底部、６５…凹部、６６…コネクタ用凹部、６７…ケース側コネクタ、６８…リード線側コネクタ、７１…第１フレーム部材、７２…第２フレーム部材、７３…ケース部材、７５…第１回転軸、７６…第２回転軸、７７…伝達機構、８１…第１開閉板、８２…第１弾性部材、８３…第１連結部、８４…第１軸部、８５…第２開閉板、８６…第２弾性部材、８７…第２連結部、８８…第２軸部、９１…折り曲げ部分、９１ａ…延在部、９１ｂ…延在部、９１ｃ…屈曲部、９１…部分、９３…結束部材、９４…貼付部材、９５…外部接続用コネクタ、１０１…第１リード線、１０１ａ…第１リード線部分、１０２…第２リード線、１０２ａ…第２リード線部分、１０３…第３リード線、１０３ａ…第３リード線部分、１０４…第４リード線、１０４ａ…第４リード線部分、１０６・１０７…貼付部材、Ｌ１…第１軸線、Ｌ２…第２軸線
【図１】
2019045131.tif 000003
【図２】
2019045131.tif 000004
【図３】
2019045131.tif 000005
【図４】
2019045131.tif 000006
【図５】
2019045131.tif 000007
【図６】
2019045131.tif 000008
【図７】
2019045131.tif 000009
【図８】
2019045131.tif 000010
【図９】
2019045131.tif 000011